【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
拡張現実システムであって、
少なくとも１つの導波管であって、前記少なくとも１つの導波管は、光を受信し、ユーザに向かって前記光を再指向するように構成され、前記少なくとも１つの導波管は、前記ユーザの環境からの周囲光がそれを通して前記ユーザに向かって通過することを可能にするようにさらに構成される、少なくとも１つの導波管と、
第１の適応レンズアセンブリであって、前記第１の適応レンズアセンブリは、前記少なくとも１つの導波管と前記環境との間に位置付けられ、前記第１の適応レンズアセンブリは、
前記第１の適応レンズアセンブリが第１の屈折力をそれを通して通過する光に付与するように構成される状態と、
前記第１の適応レンズアセンブリが前記第１の屈折力と異なる屈折力をそれを通して通過する光に付与するように構成される少なくとも１つの他の状態と
の間で選択的に切替可能である、第１の適応レンズアセンブリと、
第２の適応レンズアセンブリであって、前記第２の適応レンズアセンブリは、前記ユーザによる前記拡張現実システムの装着に応じて、第２の適応レンズアセンブリが前記少なくとも１つの導波管と前記ユーザとの間にあるように位置付けられ、前記第２の適応レンズアセンブリは、
前記第２の適応レンズアセンブリが前記第１の屈折力と異なる第２の屈折力をそれを通して通過する光に付与するように構成される状態と、
前記第２の適応レンズアセンブリが前記第２の屈折力と異なる屈折力をそれを通して通過する光に付与するように構成される少なくとも１つの他の状態と
の間で選択的に切替可能である、第２の適応レンズアセンブリと、
少なくとも１つのプロセッサであって、前記少なくとも１つのプロセッサは、前記第１および第２の適応レンズアセンブリに動作可能に結合され、前記少なくとも１つのプロセッサは、前記第１および第２の適応レンズアセンブリが実質的に一定の正味屈折力をそれを通して通過する前記環境からの周囲光に付与するように、前記第１および第２の適応レンズアセンブリを異なる状態間で同期して切り替えさせるように構成される、少なくとも１つのプロセッサと
を備える、拡張現実システム。
【請求項２】
マイクロディスプレイをさらに備え、前記少なくとも１つの導波管は、前記マイクロディスプレイからの光を受信し、前記ユーザに向かって前記マイクロディスプレイからの光を再指向するように構成される、請求項１に記載の拡張現実システム。
【請求項３】
前記第１の屈折力および前記第２の屈折力は、反対符号である、請求項１に記載の拡張現実システム。
【請求項４】
前記第１の屈折力および前記第２の屈折力は、実質的に等しい大きさである、請求項３に記載の拡張現実システム。
【請求項５】
前記第１および第２の適応レンズアセンブリはそれぞれ、１つ以上の制御信号を前記少なくとも１つのプロセッサから入力として受信し、それに応答して、その後、４００ミリ秒未満の時間周期以内に、１つの状態から別の状態に切り替わるように構成される、請求項１に記載の拡張現実システム。
【請求項６】
前記第１および第２の適応レンズアセンブリがそれぞれ１つの状態から別の状態に切り替わるように構成される時間周期は、２００ミリ秒未満である、請求項５に記載の拡張現実システム。
【請求項７】
前記第１および第２の適応レンズアセンブリがそれぞれ１つの状態から別の状態に切り替わるように構成される時間周期は、１００ミリ秒未満である、請求項６に記載の拡張現実システム。
【請求項８】
前記少なくとも１つの導波管は、出力エリアを備え、それを通して、前記少なくとも１つの導波管は、光を前記ユーザに向かって再指向し、前記ユーザの環境からの周囲光がそれを通して前記ユーザに向かって通過することを可能にするように構成され、前記少なくとも１つの導波管の出力エリアは、その中に前記第１の適応レンズアセンブリのクリア開口が形成される前記第１の適応レンズアセンブリの一部と、その中に前記第２の適応レンズアセンブリのクリア開口が形成される前記第２の適応レンズアセンブリの一部との間に位置付けられる、請求項１に記載の拡張現実システム。
【請求項９】
その中に前記第１および第２の適応レンズアセンブリのクリア開口がそれぞれ形成される前記第１および第２の適応レンズアセンブリの一部はそれぞれ、前記少なくとも１つの導波管の出力エリアより大きいサイズである、請求項８に記載の拡張現実システム。
【請求項１０】
前記第１および第２の適応レンズアセンブリはそれぞれ、２つの状態間で切替可能な単極である少なくとも１つの光学要素を含む、請求項１に記載の拡張現実システム。
【請求項１１】
前記少なくとも１つの光学要素は、
前記少なくとも１つの光学要素が第１の偏光状態をそれを通して前記ユーザに向かって通過する光に付与するように構成される第１の状態と、
前記少なくとも１つの光学要素が前記第１の偏光状態と異なる第２の偏光状態をそれを通して通過する光に付与するように構成される第２の状態と
の間で切替可能な単極である、請求項１０に記載の拡張現実システム。
【請求項１２】
前記第１および第２の適応レンズアセンブリはそれぞれ、少なくとも１つの波長板レンズを含み、前記少なくとも１つの波長板レンズが、前記ユーザによる前記拡張現実システムの装着に応じて、前記少なくとも１つの光学要素と前記ユーザとの間にあるように位置付けられ、
前記少なくとも１つの波長板レンズは、１つの屈折力をそれを通して通過する前記第１の偏光状態の光に付与し、別の異なる屈折力をそれを通して通過する前記第２の偏光状態の光に付与するように構成される、請求項１１に記載の拡張現実システム。
【請求項１３】
前記第１および第２の適応レンズアセンブリはそれぞれ、２つの状態間で切替可能な単極である、ある量の光学要素を含み、前記第１および第２の適応レンズアセンブリのそれぞれ内に含まれる前記光学要素の量は、第１の値と等しく、
前記第１および第２の適応レンズアセンブリはそれぞれ、ある量の異なる状態の中から状態間で選択的に切替可能であり、前記異なる状態の量は、前記第１の値に指数関数的に依存する第２の値と等しい、請求項１０に記載の拡張現実システム。
【請求項１４】
前記第２の値は、指数を伴う２の冪乗と等しく、前記指数は、前記第１の値と等しい、請求項１３に記載の拡張現実システム。
【請求項１５】
前記少なくとも１つの導波管は、仮想コンテンツを表す光を受信し、前記ユーザに向かって前記仮想コンテンツを表す光を再指向するように構成され、
前記少なくとも１つのプロセッサは、前記第１および第２の適応レンズアセンブリを、前記異なる状態の量の中からの異なる状態間で同期して切り替えさせ、それを通して通過する光によって表される仮想コンテンツが前記ユーザによって知覚されるべき前記ユーザから離れた距離を調節するように構成される、請求項１３に記載の拡張現実システム。
【請求項１６】
それを通して通過する光によって表される仮想コンテンツが前記ユーザによって知覚されるべき前記ユーザから離れた距離は、ある量の異なる距離のいずれかに選択的に切替可能であり、前記異なる距離の量は、前記第２の値と等しい、請求項１５に記載の拡張現実システム。
【手続補正２】
【補正対象書類名】明細書
【補正対象項目名】００２５
【補正方法】変更
【補正の内容】
【００２５】
さらに別の側面では、拡張現実システムは、第１の適応レンズアセンブリと、第１の適応レンズアセンブリとユーザとの間に位置付けられる、第２の適応レンズアセンブリとを含んでもよい。適応レンズアセンブリはそれぞれ、少なくとも、（ｉ）少なくとも１つの切替可能な光学要素が第１の偏光状態をそれを通してユーザに向かって通過する光に付与するように構成される、第１の状態と、（ｉ）少なくとも１つの切替可能な光学要素が第２の偏光状態をそれを通してユーザに向かって通過する光に付与するように構成される、第２の状態との間で選択的に切替可能である、少なくとも１つの切替可能な光学要素を含んでもよい。適応レンズアセンブリはそれぞれさらに、少なくとも１つの切替可能な光学要素とユーザとの間に位置付けられる、少なくとも１つの波長板レンズを含んでもよい。少なくとも１つの波長板レンズは、第１の個別の屈折力をそれを通してユーザに向かって通過する第１の偏光状態の光に付与し、第２の個別の屈折力をそれを通してユーザに向かって通過する第２の偏光状態の光に付与するように構成されてもよい。適応レンズアセンブリはそれぞれさらに、第１の適応レンズアセンブリと第２の適応レンズアセンブリとの間に位置付けられる、少なくとも１つの導波管を含んでもよい。少なくとも１つの導波管は、仮想コンテンツを表す光を第２のレンズアセンブリを通してユーザに向かって指向するように構成されてもよい。
本発明は、例えば、以下を提供する。
（項目１）
拡張現実システムであって、
少なくとも１つの導波管であって、前記少なくとも１つの導波管は、光を受信し、ユーザに向かって再指向するように構成され、前記少なくとも１つの導波管は、前記ユーザの環境からの周囲光がそれを通して前記ユーザに向かって通過することを可能にするようにさらに構成される、少なくとも１つの導波管と、
第１の適応レンズアセンブリであって、前記第１の適応レンズアセンブリは、前記少なくとも１つの導波管と前記環境との間に位置付けられ、前記第１の適応レンズアセンブリは、
前記第１の適応レンズアセンブリが第１の屈折力をそれを通して通過する光に付与するように構成される状態と、
前記第１の適応レンズアセンブリが前記第１の屈折力と異なる屈折力をそれを通して通過する光に付与するように構成される少なくとも１つの他の状態と
の間で選択的に切替可能である、第１の適応レンズアセンブリと、
第２の適応レンズアセンブリであって、前記第２の適応レンズアセンブリは、ユーザによる前記拡張現実システムの装着に応じて、第２の適応レンズアセンブリが前記少なくとも１つの導波管と前記ユーザとの間にあるように位置付けられ、前記第２の適応レンズアセンブリは、
前記第２の適応レンズアセンブリが前記第１の屈折力と異なる第２の屈折力をそれを通して通過する光に付与するように構成される状態と、
前記第２の適応レンズアセンブリが前記第２の屈折力と異なる屈折力をそれを通して通過する光に付与するように構成される少なくとも１つの他の状態と
の間で選択的に切替可能である、第２の適応レンズアセンブリと、
少なくとも１つのプロセッサであって、前記少なくとも１つのプロセッサは、前記第１および第２の適応レンズアセンブリに動作可能に結合され、前記少なくとも１つのプロセッサは、前記第１および第２の適応レンズアセンブリが実質的に一定の正味屈折力をそれを通して通過する前記環境からの周囲光に付与するように、前記第１および第２の適応レンズアセンブリを異なる状態間で同期して切り替えさせるように構成される、少なくとも１つのプロセッサと
を備える、拡張現実システム。
（項目２）
マイクロディスプレイをさらに備え、前記少なくとも１つの導波管は、前記マイクロディスプレイからの光を受信し、前記ユーザに向かって再指向するように構成される、項目１に記載の拡張現実システム。
（項目３）
前記第１の屈折力および前記第２の屈折力は、反対符号である、項目１に記載の拡張現実システム。
（項目４）
前記第１の屈折力および前記第２の屈折力は、実質的に等しい大きさである、項目３に記載の拡張現実システム。
（項目５）
前記第１および第２の適応レンズアセンブリはそれぞれ、１つ以上の制御信号を前記少なくとも１つのプロセッサから入力として受信し、それに応答して、その後、４００ミリ秒未満の時間周期以内に、１つの状態から別の状態に切り替わるように構成される、項目１に記載の拡張現実システム。
（項目６）
前記第１および第２の適応レンズアセンブリがそれぞれ１つの状態から別の状態に切り替わるように構成される時間周期は、２００ミリ秒未満である、項目５に記載の拡張現実システム。
（項目７）
前記第１および第２の適応レンズアセンブリがそれぞれ１つの状態から別の状態に切り替わるように構成される時間周期は、１００ミリ秒未満である、項目６に記載の拡張現実システム。
（項目８）
前記少なくとも１つの導波管は、出力エリアを備え、それを通して、前記少なくとも１つの導波管は、光を前記ユーザに向かって再指向し、前記ユーザの環境からの周囲光がそれを通して前記ユーザに向かって通過することを可能にするように構成され、前記少なくとも１つの導波管の出力エリアは、その中に前記第１の適応レンズアセンブリのクリア開口が形成される前記第１の適応レンズアセンブリの一部と、その中に前記第２の適応レンズアセンブリのクリア開口が形成される前記第２の適応レンズアセンブリの一部との間に位置付けられる、項目１に記載の拡張現実システム。
（項目９）
その中に前記第１および第２の適応レンズアセンブリのクリア開口がそれぞれ形成される前記第１および第２の適応レンズアセンブリの一部はそれぞれ、前記少なくとも１つの導波管の出力エリアより大きいサイズである、項目８に記載の拡張現実システム。
（項目１０）
前記第１および第２の適応レンズアセンブリはそれぞれ、２つの状態間で切替可能な単極である少なくとも１つの光学要素を含む、項目１に記載の拡張現実システム。
（項目１１）
前記少なくとも１つの光学要素は、
前記少なくとも１つの光学要素が第１の偏光状態をそれを通して前記ユーザに向かって通過する光に付与するように構成される第１の状態と、
前記少なくとも１つの光学要素が前記第１の偏光状態と異なる第２の偏光状態をそれを通して通過する光に付与するように構成される第２の状態と
の間で切替可能な単極である、項目１０に記載の拡張現実システム。
（項目１２）
前記第１および第２の適応レンズアセンブリはそれぞれ、少なくとも１つの波長板レンズを含み、前記少なくとも１つの波長板レンズが、ユーザによる前記拡張現実システムの装着に応じて、前記少なくとも１つの光学要素と前記ユーザとの間にあるように位置付けられ、
前記少なくとも１つの波長板レンズは、１つの屈折力をそれを通して通過する前記第１の偏光状態の光に付与し、別の異なる屈折力をそれを通して通過する前記第２の偏光状態の光に付与するように構成される、項目１１に記載の拡張現実システム。
（項目１３）
前記第１および第２の適応レンズアセンブリはそれぞれ、２つの状態間で切替可能な単極である、ある量の光学要素を含み、前記第１および第２の適応レンズアセンブリのそれぞれ内に含まれる前記光学要素の量は、第１の値と等しく、
前記第１および第２の適応レンズアセンブリはそれぞれ、ある量の異なる状態の中から状態間で選択的に切替可能であり、前記異なる状態の量は、前記第１の値に指数関数的に依存する第２の値と等しい、項目１０に記載の拡張現実システム。
（項目１４）
前記第２の値は、指数を伴う２の冪乗と等しく、前記指数は、前記第１の値と等しい、項目１３に記載の拡張現実システム。
（項目１５）
前記少なくとも１つの導波管は、仮想コンテンツを表す光を受信し、前記ユーザに向かって再指向するように構成され、
前記少なくとも１つのプロセッサは、前記第１および第２の適応レンズアセンブリを、前記異なる状態の量の中からの異なる状態間で同期して切り替えさせ、それを通して通過する光によって表される仮想コンテンツがユーザによって知覚されるべき前記ユーザから離れた距離を調節するように構成される、項目１３に記載の拡張現実システム。
（項目１６）
それを通して通過する光によって表される仮想コンテンツがユーザによって知覚されるべき前記ユーザから離れた距離は、ある量の異なる距離のいずれかに選択的に切替可能であり、前記異なる距離の量は、前記第２の値と等しい、項目１５に記載の拡張現実システム。
（項目１７）
ディスプレイデバイスであって、
外部結合される光を前記導波管の出力表面に沿って出力するように構成される導波管を備える導波管アセンブリと、
前記出力表面に面した第１の主要表面を有する第１の適応レンズアセンブリであって、前記第１の適応レンズアセンブリは、
第１の波長板レンズと、
第２の波長板レンズと、
前記第１の波長板レンズと前記第２の波長板レンズとの間に介在される第１の切替可能な波長板であって、前記第１の切替可能な波長板は、
前記外部結合される光の偏光状態を改変させずに、前記外部結合される光を通過させるように構成される第１の状態と、
それを通して通過する前記外部結合される光の偏光状態を改変するように構成される第２の状態と
の間で選択的に切替可能である、切替可能な波長板と
を備える、第１の適応レンズアセンブリと、
前記出力表面と反対の外部場面に面した第２の主要表面と、前記第１の主要表面に面した第２の準主要表面とを有する第２の適応レンズアセンブリであって、前記第２の適応レンズアセンブリは、
第３の波長板レンズと、
第４の波長板レンズと、
前記第３の波長板レンズと前記第４の波長板レンズとの間に介在される第２の切替可能な波長板であって、前記第２の切替可能な波長板は、
前記外部場面からの光の偏光状態を改変させずに、前記外部場面からの光を通過させるように構成される第３の状態と、
それを通して通過する前記外部場面からの光の偏光状態を改変するように構成される第４の状態と
の間で選択的に切替可能である、第２の切替可能な波長板と
を備える、第２の適応レンズアセンブリと
を備える、ディスプレイデバイス。
（項目１８）
前記第１および第２の波長板レンズはそれぞれ、それを通して通過する外部結合される光の偏光状態を改変し、前記外部結合される光を収束または発散させるように構成される、項目１７に記載のディスプレイデバイス。
（項目１９）
前記第３および第４の波長板レンズはそれぞれ、それを通して通過する前記外部場面からの光の偏光状態を改変させ、前記外部結合される光を収束または発散させるように構成される、項目１８に記載のディスプレイデバイス。
（項目２０）
ユーザによる前記拡張現実システムの装着に応じて、前記導波管アセンブリとユーザとの間に配置されるように位置付けられる、１つ以上の偏光選択的方向転換要素をさらに備え、前記第１の波長板レンズは、前記第２の波長板レンズよりユーザの近くに位置付けられる、項目１７に記載の拡張現実システム。
（項目２１）
前記１つ以上の偏光選択的方向転換要素は、ユーザによる前記拡張現実システムの装着に応じて、前記ユーザと前記第１の波長板レンズとの間に配置されるように位置付けられる第１の偏光選択的方向転換要素を含む、項目２０に記載の拡張現実システム。
（項目２２）
前記１つ以上の偏光選択的方向転換要素は、前記導波管アセンブリと前記第２の波長板レンズとの間に配置される、第２の偏光選択的方向転換要素を含む、項目２０に記載の拡張現実システム。
（項目２３）
前記１つ以上の偏光選択的方向転換要素は、偏光格子、回折光学要素、および／またはホログラフィック光学要素のうちの１つ以上のものを含む、項目２０に記載の拡張現実システム。
（項目２４）
前記導波管アセンブリと前記外部場面との間に配置される１つ以上の偏光選択的方向転換要素をさらに備え、前記第３の波長板レンズは、前記第４の波長板レンズより前記外部場面に近い、項目１７に記載の拡張現実システム。
（項目２５）
前記１つ以上の偏光選択的方向転換要素は、前記外部場面と前記第３の波長板レンズとの間に配置される第３の偏光選択的方向転換要素を含む、項目２４に記載の拡張現実システム。
（項目２６）
前記１つ以上の偏光選択的方向転換要素は、前記導波管アセンブリと前記第４の波長板レンズとの間に配置される第４の偏光選択的方向転換要素を含む、項目２４に記載の拡張現実システム。
（項目２７）
前記１つ以上の偏光選択的方向転換要素は、偏光格子、回折光学要素、および／またはホログラフィック光学要素のうちの１つ以上のものを含む、項目２４に記載の拡張現実システム。
（項目２８）
ディスプレイデバイスであって、
光学経路内の一対の適応レンズアセンブリを備え、前記適応レンズアセンブリはそれぞれ、
対応する切替可能な波長板を備え、前記対応する切替可能な波長板は、第１の状態と第２の状態との間で切り替わり、それを通して通過する光の偏光状態を選択的に改変するように構成され、
前記適応レンズアセンブリは、反対符号を伴う屈折力を有する、
ディスプレイデバイス。
（項目２９）
前記適応レンズアセンブリはそれぞれ、前記適応レンズアセンブリの切替可能な波長板の状態に基づいて調節可能である、個別の屈折力を有する、項目２８に記載のディスプレイデバイス。
（項目３０）
コントローラをさらに備え、前記コントローラは、前記一対の適応レンズアセンブリのうちの第１のものの第１の屈折力が第１の値であるとき、前記一対の適応レンズアセンブリのうちの第２のものの第２の屈折力が、対応して、第２の値に調節されるように構成される、項目２９に記載のディスプレイデバイス。
（項目３１）
前記一対の適応レンズアセンブリのうちの第１のものと前記一対の適応レンズアセンブリのうちの第２のものとの組み合わせからの正味屈折力は、ほぼ一定値のままである、項目３０に記載のディスプレイデバイス。
（項目３２）
前記一定値は、約０ｍ−１である、項目３１に記載のディスプレイデバイス。
（項目３３）
前記適応レンズアセンブリはそれぞれ、第１および第２の波長板レンズを備え、
前記適応レンズアセンブリのそれぞれの前記対応する切替可能な波長板は、前記第１の波長板レンズと第２の波長板レンズとの間に介在され、
前記波長板レンズはそれぞれ、それを通して通過する光の偏光状態を改変するように構成される、項目２８に記載のディスプレイデバイス。
（項目３４）
前記ディスプレイデバイスはさらに、前記一対の適応レンズアセンブリ間に介在される導波管アセンブリを備え、前記導波管アセンブリは、その中を伝搬する前記光を前記適応レンズアセンブリのうちの１つの中に外部結合するように構成される導波管を備える、項目２８に記載のディスプレイデバイス。
（項目３５）
前記適応レンズアセンブリはそれぞれ、複数の波長板レンズと、複数の切替可能な波長板とを備え、前記波長板レンズおよび前記切替可能な波長板は、交互にスタックされる、項目３４に記載のディスプレイデバイス。
（項目３６）
前記切替可能な波長板および波長板レンズの異なるものは、異なる屈折力を有する、項目３５に記載のディスプレイデバイス。
（項目３７）
適応レンズアセンブリであって、
光学経路内で整合される１つ以上の波長板レンズおよび１つ以上の切替可能な波長板を備え、
前記１つ以上の波長板レンズはそれぞれ、それを通して通過する光の偏光状態を改変し、第１の屈折力を第１の偏光を有する光に提供し、第２の屈折力を第２の偏光を有する光に提供するように構成され、
前記１つ以上の切替可能な波長板はそれぞれ、
前記光の偏光状態を改変せずに、前記光をそれを通して通過させるように構成される第１の状態と、
それを通して通過する前記光の偏光状態を改変するように構成される第２の状態と
の間で選択的に切替可能である、適応レンズアセンブリ。
（項目３８）
前記波長板レンズおよび前記切替可能な波長板の一方または両方は、液晶を備える、項目３７に記載の適応レンズアセンブリ。
（項目３９）
前記第２の状態における前記１つ以上の切替可能な波長板はそれぞれ、アクティブ化されると、円偏光の掌性を反転させるように構成される切替可能な半波長板である、項目３７に記載の適応レンズアセンブリ。
（項目４０）
前記切替可能な波長板はそれぞれ、一対の前記１つ以上の波長板レンズ間に介在される、項目３７に記載の適応レンズアセンブリ。
（項目４１）
前記適応レンズアセンブリは、複数の前記波長板レンズと、複数の前記切替可能な波長板とを備え、前記波長板レンズおよび前記切替可能な波長板は、交互にスタックされる、項目４０に記載の適応レンズアセンブリ。
（項目４２）
ウェアラブル拡張現実頭部搭載可能ディスプレイシステムであって、
光変調システムであって、前記光変調システムは、光を出力し、画像を形成するように構成される、光変調システムと、
頭部搭載可能フレームと、
１つ以上の導波管であって、前記１つ以上の導波管は、前記フレームに取り付けられ、前記画像を前記光変調システムから受信し、前記頭部搭載可能フレームの外側に再指向するように構成される、１つ以上の導波管と、
一対の適応レンズアセンブリであって、前記１つ以上の導波管は、前記一対の適応レンズアセンブリ間に配置され、前記一対の適応レンズアセンブリのそれぞれは、
光学経路内の１つ以上の波長板レンズであって、前記１つ以上の波長板レンズのそれぞれは、第１の屈折力を第１の偏光を有する光に提供し、第２の屈折力を第２の偏光を有する光に提供するように構成される、１つ以上の波長板レンズと、
前記光学経路内の１つ以上の切替可能な波長板であって、前記１つ以上の切替可能な波長板のそれぞれは、それを通して通過する光の偏光状態を選択的に改変するように構成される、１つ以上の切替可能な波長板と
を備え、
前記一対の適応レンズアセンブリはそれぞれ、前記１つ以上の切替可能な波長板の個別のものへの個別の電気信号の印加に応じて調節可能である個別の屈折力を提供するように構成される、
一対の適応レンズアセンブリと
を備える、ウェアラブル拡張現実頭部搭載可能ディスプレイシステム。
（項目４３）
前記一対の適応レンズアセンブリに動作可能に結合される少なくとも１つのプロセッサをさらに備え、前記少なくとも１つのプロセッサは、前記一対の適応レンズアセンブリを異なる状態間で同期して切り替えさせるように構成され、前記異なる状態は、実質的に一定の正味屈折力をそれを通して通過する環境からの周囲光に提供する、項目４２に記載のウェアラブル拡張現実頭部搭載可能ディスプレイシステム。
（項目４４）
マイクロディスプレイをさらに備え、前記１つ以上の導波管は、前記マイクロディスプレイからの光を受信し、ユーザに向かって再指向するように構成される、項目４２に記載のウェアラブル拡張現実頭部搭載可能ディスプレイシステム。
（項目４５）
前記一対の適応レンズアセンブリは、反対符号である屈折力を提供するように構成される、項目４２に記載のウェアラブル拡張現実頭部搭載可能ディスプレイシステム。
（項目４６）
前記一対の適応レンズアセンブリは、実質的に等しい大きさである屈折力を提供するように構成される、項目４５に記載のウェアラブル拡張現実頭部搭載可能ディスプレイシステム。
（項目４７）
前記一対の適応レンズアセンブリはそれぞれ、１つ以上の制御信号を前記少なくとも１つのプロセッサから入力として受信し、それに応答して、その後、４００ミリ秒未満の時間周期以内に、１つの状態から別の状態に切り替わるように構成される、項目４３に記載のウェアラブル拡張現実頭部搭載可能ディスプレイシステム。
（項目４８）
前記１つ以上の導波管は、前記仮想コンテンツを表す画像を受信し、ユーザに向かって再指向するように構成され、
前記少なくとも１つのプロセッサは、前記一対の適応レンズアセンブリを、前記異なる状態の量の中からの異なる状態間で同期して切り替えさせ、それを通して通過する光によって表される仮想コンテンツがユーザによって知覚される前記ユーザから離れた距離を調節するように構成される、項目４２に記載のウェアラブル拡張現実頭部搭載可能ディスプレイシステム。
（項目４９）
前記仮想コンテンツがユーザによって知覚される前記ユーザから離れた距離は、複数の異なる距離間で選択的に切替可能である、項目４８に記載のウェアラブル拡張現実頭部搭載可能ディスプレイシステム。
（項目５０）
拡張現実システムであって、
第１の適応レンズアセンブリおよび第２の適応レンズアセンブリであって、前記第２の適応レンズアセンブリは、前記第１の適応レンズアセンブリとユーザとの間に位置付けられ、適応レンズアセンブリのそれぞれは、
少なくとも１つの切替可能な光学要素であって、前記少なくとも１つの切替可能な光学要素は、少なくとも、（ｉ）前記少なくとも１つの切替可能な光学要素が第１の偏光状態をそれを通して前記ユーザに向かって通過する光に付与するように構成される第１の状態と、（ｉ）前記少なくとも１つの切替可能な光学要素が第２の偏光状態をそれを通して前記ユーザに向かって通過する光に付与するように構成される第２の状態との間で選択的に切替可能である、少なくとも１つの切替可能な光学要素と、
少なくとも１つの波長板レンズであって、前記少なくとも１つの波長板レンズは、前記少なくとも１つの波長板レンズが、ユーザによる前記拡張現実システムの装着に応じて、前記少なくとも１つの切替可能な光学要素と前記ユーザとの間にあるように位置付けられ、前記少なくとも１つの波長板レンズは、第１の個別の屈折力をそれを通して前記ユーザに向かって通過する前記第１の偏光状態の光に付与し、第２の個別の屈折力をそれを通して前記ユーザに向かって通過する前記第２の偏光状態の光に付与するように構成される、少なくとも１つの波長板レンズと
を備える、第１の適応レンズアセンブリおよび第２の適応レンズアセンブリと、
前記第１の適応レンズアセンブリと前記第２の適応レンズアセンブリとの間に位置付けられる少なくとも１つの導波管であって、前記少なくとも１つの導波管は、仮想コンテンツを表す光を前記第２のレンズアセンブリを通して前記ユーザに向かって指向するように構成される、少なくとも１つの導波管と
を備える、拡張現実システム。
（項目５１）
前記第１および第２の適応レンズアセンブリに動作可能に結合される少なくとも１つのプロセッサをさらに備え、前記少なくとも１つのプロセッサは、前記第１および第２の適応レンズアセンブリを異なる状態間で同期して切り替えさせるように構成され、前記異なる状態は、実質的に一定の正味屈折力をそれを通して通過する環境からの周囲光に提供する、項目５０に記載の拡張現実システム。
（項目５２）
マイクロディスプレイをさらに備え、前記少なくとも１つの導波管は、前記マイクロディスプレイからの光を受信し、前記ユーザに向かって再指向するように構成される、項目５０に記載の拡張現実システム。
（項目５３）
前記第１および第２の適応レンズアセンブリは、反対符号である屈折力を提供するように構成される、項目５０に記載の拡張現実システム。
（項目５４）
前記第１および第２の適応レンズアセンブリは、実質的に等しい大きさである屈折力を提供するように構成される、項目５３に記載の拡張現実システム。
（項目５５）
前記第１および第２の適応レンズアセンブリはそれぞれ、１つ以上の制御信号を前記少なくとも１つのプロセッサから入力として受信し、それに応答して、その後、４００ミリ秒未満の時間周期以内に、１つの状態から別の状態に切り替わるように構成される、項目５１に記載の拡張現実システム。
（項目５６）
前記第１および第２の適応レンズアセンブリはそれぞれ、２つの状態間で切替可能な単極であるある量の光学要素を含み、前記第１および第２の適応レンズアセンブリのそれぞれ内に含まれる前記光学要素の量は、第１の値と等しく、
前記第１および第２の適応レンズアセンブリはそれぞれ、ある量の異なる状態の中から状態間で選択的に切替可能であり、前記異なる状態の量は、前記第１の値に指数関数的に依存する第２の値と等しい、項目５０に記載の拡張現実システム。
（項目５７）
前記第２の値は、指数を伴う２の冪乗と等しく、前記指数は、前記第１の値と等しい、項目５６に記載の拡張現実システム。
（項目５８）
前記１つ以上の導波管は、仮想コンテンツを表す光を受信し、前記ユーザに向かって再指向するように構成され、
前記少なくとも１つのプロセッサは、前記一対の適応レンズアセンブリを、前記異なる状態の量の中からの異なる状態間で同期して切り替えさせ、それを通して通過する光によって表される仮想コンテンツがユーザによって知覚される前記ユーザから離れた距離を調節するように構成される、項目５６に記載の拡張現実システム。
（項目５９）
仮想コンテンツがユーザによって知覚される前記ユーザから離れた距離は、ある量の異なる距離のいずれかに選択的に切替可能であり、前記異なる距離の量は、前記第２の値と等しい、項目５８に記載の拡張現実システム。